(57)【特許請求の範囲】
【請求項１】
電子体温計であって、
被測定部位の温度を検出し、前記検出された温度の経時変化から温度上昇を検知して前記被測定部位の平衡温度を予測する検温手段と、
２ｋＨｚのブザー音出力部と、４ｋＨｚのブザー音出力部とからなるブザー音報知手段と、
前記平衡温度の予測が完了したことを報知するためのブザー音として、高齢者モードと非高齢者モードとを選択する選択手段と、を備え、
前記検温手段により前記平衡温度の予測が完了した際に、前記選択手段によりいずれのモードが選択されているかを判定し、
前記高齢者モードが選択されていると判定した場合には、所定時間、前記２ｋＨｚのブザー音出力部によりブザー音を出力させた後に該ブザー音の出力を停止させ、
前記非高齢者モードが選択されていると判定した場合には、前記４ｋＨｚのブザー音出力部により、所定時間、ブザー音を出力させた後に該ブザー音の出力を停止させることを特徴とする電子体温計。
【発明の詳細な説明】
【技術分野】
【０００１】
本発明は電子体温計に関し、より詳しくは、例えばブザー音などの報知機能を有する電子体温計に関するものである。
【背景技術】
【０００２】
現在広く普及している電子体温計の多くは、体温予測機能を備えている。体温予測機能は、実測検温に比べて短時間、例えば１分３０秒から２分程度で体温を予測し、利用者に予測体温を迅速に提供するものである。
【０００３】
この体温予測では、温度上昇率が所定値以下になった場合には温度が平衡状態にあると判断し、予測終了を利用者に知らせるためにブザーを鳴らすようにしている（特許文献１）。
【特許文献１】特開平７−５５５８３号公報
【発明の開示】
【発明が解決しようとする課題】
【０００４】
特許文献１に代表される電子体温計では、ブザー音として１種類の周波数からなる音しか用いられていない。つまり、電子体温計で多種類の報知方法採用していたとしても、それは１つの周波数音を大きくしたり小さくしたりするように、所定の変化を施して報知するようにしているだけである。そして、通常用いられる周波数は比較的高いもの、例えば４ｋＨｚとなっている。
【０００５】
確かに、一般的に、人は高い周波数の音の方が注意を喚起されやすいのであるが、加齢と共に高い周波数の音は聞きづらくなってくる。従って、従来の電子体温計のブザー音は、高齢利用者にとっては聞きづらく、極端な場合検温終了に気づかないこともありうるのである。一方、高齢でない利用者にとっては周波数を低くすると逆に注意喚起としては効果が薄いことになってしまう。
【０００６】
本発明はこのような問題点に鑑みてなされたものであり、高齢者にとっても高齢でない者にとっても聞きやすいブザー音を発することのでき、両者にとって使い勝手の良い電子体温計を提供するものである。
【課題を解決するための手段】
【０００７】
上記目的を達成するため、本発明による電子体温計は、被測定部位の温度を検出し、前記検出された温度の経時変化から温度上昇を検知して前記被測定部位の平衡温度を予測する検温手段と、２ｋＨｚのブザー音出力部と、４ｋＨｚのブザー音出力部とからなるブザー音報知手段と、前記平衡温度の予測が完了したことを報知するためのブザー音として、高齢者モードと非高齢者モードとを選択する選択手段と、を備え、前記検温手段により前記平衡温度の予測が完了した際に、前記選択手段によりいずれのモードが選択されているかを判定し、前記高齢者モードが選択されていると判定した場合には、所定時間、前記２ｋＨｚのブザー音出力部によりブザー音を出力させた後に該ブザー音の出力を停止させ、前記非高齢者モードが選択されていると判定した場合には、前記４ｋＨｚのブザー音出力部により、所定時間、ブザー音を出力させた後に該ブザー音の出力を停止させることを特徴とする。
【００１０】
その他の本発明の特徴は、以下の発明を実施するための最良の形態の記載及び添付図面により明らかになるものである。
【発明の効果】
【００１１】
本発明によれば、高齢者にとっても高齢でない者にとっても聞きやすいブザー音を発することのでき、両者にとって使い勝手の良い電子体温計を提供できる。
【発明を実施するための最良の形態】
【００１２】
本発明は、ブザー音として複数の周波数の音を用いて利用者に報知する機能を有する電子体温計に関するものである。以下添付図面を参照して本発明に係る実施形態について、説明する。
【００１３】
＜電子体温計外観について＞
図１は、本実施形態の電子体温計１００の外観を示す図で、図１（ａ）は、平面図、図１（ｂ）は、側面図、図１（ｃ）は、背面図である。２は、本体ケースで、後述する演算制御部２０等の電子回路、ブザー３１、電池(電源部)４０等が収納されている。３は、ステンレス製の金属キャップで、体温測定に必要なサーミスタ１３(図２参照)等を含む温度計測部を接着剤で固定して収納している。本体ケース２と金属キャップ３は接着剤を介して液密に固定されている。
【００１４】
本体ケース２は、リン酸ジルコニウム銀化合物をほぼ１〜２．５重量％含むスチレン系樹脂（ハイインパクトスチロール，ＡＢＳ樹脂）、ポリオレフィン系樹脂（ポリプロピレン，ポリエチレン）等で形成されて、表示部３０を覆う透明の窓部２ｄとは好ましくは二色成形で形成されている。窓部２ｄは、透明樹脂であるポリスチレン、ブタジエン・スチレン共重合体等のスチレン系樹脂；ポリ−２−メチルペンテン、ポリプロピレン等のポリオレフィン系樹脂；ポリメチルメタクリレート等のアクリル系樹脂；セルロースアセテート等のセルロースエステル；ポリエチレンテレフタレート等のポリエステル等から形成される。本体ケース２の金属キャップ３の反対側には電源ＯＮ／ＯＦＦスイッチ４が設けられている。
【００１５】
また、本体ケース２の背面には、凹部２ａが設けられ、検温後の電子体温計を容易に把持し、取出しやすくしている。２ｂ，２ｃは滑りどめ部で、検温時に電子体温計がずれないようになっている。３０ａは、予測モードを表示する予測モード表示部、３０ｂは、ブザー音の発生を行なわない、いわゆる消音モードを表示する消音モード表示部である。
【００１６】
＜電子体温計の回路構成について＞
図２は、本実施形態の電子体温計１００における体温測定を実行するための回路構成を示すブロック図である。
【００１７】
本電子体温計１００は温度を計測し、それをデジタル値として出力する温度計測部１０と、計測された温度から予測温度を演算すると共に本電子体温計を制御する演算制御部２０と測定結果を表示するバックライト（ＬＥＤ３０ｃ）を備えた表示部３０（図１のＬＣＤ１に対応する）とブザー３１から構成される。
【００１８】
温度計測部（温度測定手段）１０は、並列に接続された感温部に設置されたサーミスタ１３及びコンデンサ１４と、測温用のＣＲ発振回路１１で構成されり。そいて、温度計測部１０は、サーミスタ１３の温度に対応してカウンタ１６のカウント量が変化することにより、温度をデジタル量として出力する。
【００１９】
演算制御部２０は、体温測定に必要なパラメータを格納したＥＥＰＲＯＭ２２ａ、計測温度を時系列で記憶するためのＲＡＭ２３、予測式などのプログラムを格納したＲＯＭ２２、表示部３０を制御するための表示制御部３０ｄ、測温用ＣＲ発振回路１１の発振信号をカウントするカウンタ１６、ＲＯＭ２２のプログラムに従いＥＥＰＲＯＭ２２ａに書かれた条件で演算を行なう演算処理部２１、カウンタ１６、演算処理部２１、表示制御部３０ａを制御する制御回路５０とからなる。
【００２０】
ブザー３１は、例えば検温終了時に、検温終了を利用者に報知するために、ＲＯＭ２４に格納されている異なる周波数のブザー音情報及びブザー音用プログラムに従って所定の発声パターンでブザー音を出力する。
【００２１】
尚、本体温計の構成は一例であって、これに限る必要はない。本実施形態では特に予測式電子体温計のブロック構成を示しているが、予測演算の有無に限られず、本発明は適用可能であることに注意すべきである。
【００２２】
＜ブザー音制御について＞
続いて、検温終了時の報知手段としてブザー音を制御することを例に挙げて本実施形態の動作について説明する。
【００２３】
図３は、検温終了時のブザー音制御の動作を説明するためのフローチャートである。なお、ここでフローチャートの制御主体は、特に断らない限り演算処理部２１である。
【００２４】
ステップＳ１０１において電子体温計１の電源がＯＮになると、体温測定動作（ステップＳ１０２）が開始する。
【００２５】
ステップＳ１０２では、上述のように例えば予測方式による体温測定動作が実行される。つまり、初期温度の経時変化をモニタリングし、その変化の様子に従って温度上昇傾向を群分けする。この群分け以降の所定期間の経時変化をモニタリングし、その変化が大きい場合にはさらに一度決定した群分けを変更することもできる。そして、決定した群に対応する予測演算式により体温の予測値を決定する。なお、前述の通り、体温測定は予測方式に限らず実測方式等別の方式であってもよい。
【００２６】
ステップＳ１０３では、検温中の温度が平衡温度に到達したか否かを判定する。平衡温度に到達していなければ体温測定動作を続行する。平衡温度に達していれば、処理はステップＳ１０４に移行し、体温測定動作は終了する。
【００２７】
そして、ステップＳ１０５では、設定されているブザー音発声モードを確認する。つまり、ＲＯＭ２２に予め設定された、ブザー音の発声の様式を決めるブザー音発声モードが記憶されている。モードの種類としては、例えば、２ｋＨｚと４ｋＨｚのの２つの周波数の音をそれぞれ所定時間交互に鳴らして検温終了を報知するモード、これら２つの周波数の音を同時に鳴らして和音として報知するモード、等がある。また、予め設定しない場合として、図示しないブザー音発声モード選択スイッチを設け、高齢者モードと非高齢者モードを利用者をして選択できるようにしても良い。なお、ここでは周波数の組み合わせとして２つの周波数を例として挙げたが、それに限らずに１ｋＨｚから８ｋＨｚの間から複数の周波数の音を組み合わせてよい。ただし、４つの周波数以上であるといわゆるメロディＩＣを用いるのが適当であり、この場合はコストアップにつながってしまうので、選択すべき周波数の数は３までが適当である。そして、選択される音の周波数の範囲としては、１〜３．０ｋＨｚの範囲の音に関しては加齢の影響を受けにくいので高齢者用に、３〜８ｋＨｚの範囲の音は非高齢者であれば最も感度が良いので非高齢者用に用いるとよい。さらに、１ｋＨｚ以下、或いは８ｋＨｚ以上の音に関しては、一般的に人にとって聞きにくく、聞こえるようにするための音量を出すには相当程度の電力を要すため、ボタン電池で動作する電子体体温計では実用的ではない。
【００２８】
ステップＳ１０６では、ステップＳ１０５で確認されたブザー音発声モードに従って、ブザー音をブザー３１から出力して、利用者に検温終了を報知する。
【００２９】
そして、ステップＳ１０７では、ブザー音を発してから所定の設定時間が経過したかを判定し、経過していなければブザー音発声を続行し、経過していれば処理を終了する。
【００３０】
以上のように、本実施形態では、検温終了時に複数種類の周波数の音を所定のバリエーションパターンでブザー音を発することによって、高齢者及び非高齢者の両者にとってブザー音が聞きやすく、使い勝手の良い電子体温計を提供することができるようになる。
【図面の簡単な説明】
【００３１】
【図１】本実施形態が適用可能な電子体温計の外観を示す図である。
【図２】本実施形態の電子体温計の構成を示すブロック図である。
【図３】本実施形態のブザー音発声制御の動作を説明するためのフローチャートである。
【図１】
0005203555.tif 000002
【図２】
0005203555.tif 000003
【図３】
0005203555.tif 000004